(57)【要約】  本発明は、自動車用のブレーキアシスト装置に関し、倍力装置（１）を含み、この倍力装置（１）が、プランジャピストン（１２）と、可動部（８）と、プランジャピストン（１２）に対して可動部（８）を所定の位置に固定する手段とを含み、倍力装置（１）が、制御ロッド（１５）により作動され、この制御ロッド（１５）が、プランジャピストン（１２）に当接する第１の端部（１４）と、自動車の運転者により移動されるように構成されたブレーキペダルにより及ぼされる応力を受容する第２の端部（２２）とを含み、倍力装置（１）が、プランジャピストン（１２）と可動部（８）との間の接触スペースに挿入されるセンサと、プランジャピストン（１２）と可動部（８）との間で圧縮されるスプリング（３１）とを含み、倍力装置（１）が、運転モードに応じて接触スペース内でプランジャピストン（１２）を移動させる手段を含み、この装置は、スプリング（３１）が十分に高い剛性を有し、穏やかな運転モードの場合よりも反応型の運転モードの場合の方が著しく高い踏力に対してのみ、制動を開始するようにされていることを特徴とする。【選択図】  図１ａ
2013545672.tif 000002
【特許請求の範囲】
【請求項１】
自動車用のブレーキアシスト装置であって、倍力装置（１）を含み、
−前記倍力装置（１）が、プランジャピストン（１２）と、可動部（８）と、プランジャピストン（１２）に対して可動部（８）を所定の位置に固定する手段とを含み、
−前記倍力装置（１）が、制御ロッド（１５）により作動され、制御ロッド（１５）が、プランジャピストン（１２）に当接する第１の端部（１４）と、自動車の運転者により移動されるように構成されたブレーキペダルにより及ぼされる応力を受容する第２の端部（２２）とを含み、
−前記倍力装置（１）が、プランジャピストン（１２）と可動部（８）との間の接触スペースに挿入されるセンサと、プランジャピストン（１２）と可動部（８）との間で圧縮されるスプリング（３１）とを含み、
−前記倍力装置（１）が、運転モードに応じて接触スペース内でプランジャピストン（１２）を移動させる手段を含む装置において、
−スプリング（３１）が十分に高い剛性を有し、穏やかな運転モードの場合よりも反応型の運転モードの場合の方が著しく高い踏力に対してのみ、制動を開始するようにされ、
−運転モードに応じて接触スペース内でセンサを移動させる手段が、スプリングの予備圧縮応力を変化させる手段と、制御ユニットとを含み、この制御ユニットが、データメモリを介した運転モードの選択に応じてスプリングに付与すべき予備圧縮応力を決定するプログラムを実行可能なマイクロプロセッサを備えていることを特徴とする装置。
【請求項２】
スプリングの剛性が１１〜２２Ｎ／ｍｍであることを特徴とする請求項１に記載の装置。
【請求項３】
反応型のブレーキモードから穏やかなブレーキモードに移行するにしたがって、少なくとも５０％の著しい差がプラスされることを特徴とする請求項１または２に記載の装置。
【請求項４】
圧縮スプリングは、電気モータ（３）のロータをなすナット（４）の回転運動をねじ（７）の並進運動に変換するねじナット機構により予備圧縮応力を付与されており、前記ねじ（７）が可動部（８）を移動させ、前記スプリング（３１）が、プランジャピストン（１２）と可動部（８）との接近を妨げることを特徴とする請求項１、２または３に記載の装置。
【請求項５】
スプリング（３１）の長手方向の一端に配置された応力センサを含んでいることを特徴とする先行請求項のいずれか一項に記載の装置。
【請求項６】
制動開始は、より少ない踏力で行われるが、しかし、反応型のモードよりも穏やかなモードの方が強い増幅を伴って行われることを特徴とする先行請求項のいずれか一項に記載の装置。
【請求項７】
スプリング（３１）の剛性が、３０Ｎ／ｍｍ以上であることを特徴とする請求項１または３から６のいずれか一項に記載の装置。
【請求項８】
可動部（８）に対するプランジャピストン（１２）の移動を検知する手段を含んでいることを特徴とする先行請求項のいずれか一項に記載の装置。
【請求項９】
前記センサが、フローティング式であることを特徴とする先行請求項のいずれか一項に記載の装置。
【請求項１０】
制御ユニットが、ブレーキペダルの平衡位置または解放位置への可動部の戻りを遅延させるプログラムを含んでいることを特徴とする先行請求項のいずれか一項に記載の装置。
【請求項１１】
ブレーキペダルにより作動されるマスタシリンダと、マスタシリンダと制御ロッドとの間に配置されるブレーキアシスト電動倍力装置と、この倍力装置の制御ユニットと、マスタシリンダに油圧式に接続されるブレーキとを含む自動車において、請求項１から１０のいずれか一項に記載のアシスト装置を含んでいることを特徴とする自動車。
【発明の詳細な説明】
【技術分野】
【０００１】
本発明は、自動車のブレーキアシスト装置に関する。本発明は、特に、自動車のブレーキアシスト電動倍力装置に関する。
【背景技術】
【０００２】
従来技術では、ブレーキアシスト装置が電動倍力装置を含み、この倍力装置が、電気モータのロータをなすナットの回転運動をねじの並進運動に変換して可動部をマスタシリンダに向かって移動させるねじナット機構を含んでいる。倍力装置は、ブレーキペダルによって移動される制御ロッドにより作動される。応力センサは、運転者によりブレーキペダルを介して制御ロッドに付与され得る応力を測定する。
【０００３】
マスタシリンダ内の圧力は、ブレーキペダルに及ぼされる応力、いわゆる制動力に応じて変化する。
【０００４】
最初に、制動力は、休止位置へのプランジャピストンのリターンスプリングの予備圧縮応力より強くなるように構成されている。倍力装置が休止位置にとどまると、マスタシリンダ内の圧力は一定であり続ける。制動力が増加すると、プランジャピストンのリターンスプリングの予備圧縮応力より強くなって倍力装置が作動される。ところで、倍力装置が休止位置にある場合、単独のプランジャピストンあるいはセンサを備えたプランジャピストンと、可動部との間に軸方向の隙間が存在する。このため、倍力装置の作動によって、一定の応力下でマスタシリンダ内の圧力が急上昇する。したがって、マスタシリンダ内の圧力の急上昇が大きければ大きいほど、運転者にとって、ブレーキペダルへの作用がいっそう有効なものとして感じ取られることが分かる。
【０００５】
制御ロッドに付与されるストローク情報は、制御ユニットに伝送され、制御ユニットが、この情報に基づいて電気モータに制御命令を発生し、制御ロッドに及ぼされる応力に対応して可動部を移動させるようにする。
【０００６】
そのため、公知の装置は、運転者の運転モードに応じて可動部に対するプランジャピストンのストローク差を変化させることにより、軸方向の隙間の調整を実施することができる。
【０００７】
実際には、運転者には複数のカテゴリーがある。なぜなら、運転者の中には、かなり積極的な運転をする人もいれば（これは、スポーツタイプの運転モードと呼ばれる）、かなり穏やかな運転をする人もいるからである（これは、コンフォートタイプの運転モードと呼ばれる）。しかし、従来技術に記載された装置では、スポーツタイプの運転モードを好む運転者によってブレーキペダルに付与される制動力を、コンフォートタイプの運転モードを好む運転者に対して区別することができない。こうした不都合は、コンフォートタイプの運転モードを好む運転者が、車両の制動を開始するためにスポーツタイプの運転モードを好む運転者と同様の応力をブレーキペダルに及ぼさなければならず、またその逆もあることから、ますます好ましくない。
【発明の概要】
【発明が解決しようとする課題】
【０００８】
したがって、本発明は、従来技術による上記の不都合を解消することを目的とする。このため、本発明は、自動車の速度に対して運転者の運転モードを予め選択または決定し、この運転モードに応じて踏力値を変える手段を提案する。従来式または電動式の制動力増幅装置において、運転者がペダルで感じ取るのは、まず踏力である。ペダルにかかる踏力は、いわゆる制動力の急上昇段階に対応する値までは制動なしに増加する。制動力の急上昇段階が開始されると、制動力増幅装置の使用が開始される。この使用開始により、制動力増幅装置のプランジャが、センサを介してこの増幅装置のリアクションディスクと接する。次いで、ブレーキペダルを追加的に微小移動させるために、制動力増幅装置がマスタシリンダのプッシュロッドを移動させ、それによって制動力を生じさせる。このような制動力の急上昇は、制動力増幅装置のプランジャの位置とマスタシリンダのプッシュロッドとの間の差を補正することによって実施される。その場合、この段階で運転者が感じ取る力は、単に、プッシュロッドからプランジャを離隔するリターンスプリングを圧縮するのに必要な力である。そのため、本発明によれば、コンフォートタイプの運転モードを好む運転者に対する特別な踏力値と、スポーツタイプの運転モードを好む運転者に対する異なる踏力値とを決定することができる。さらに、本発明による装置を装備した車両の場合、同一の制動段階の間に踏力値をダイナミックに変化させることができるので、運転者が感じ取るブレーキペダル位置におけるフィーリングを改善することができる。特に、ジャンプイン段階（「ｊｕｍｐ  ｉｎ」）のヒステリシスが改善される。
【課題を解決するための手段】
【０００９】
したがって、本発明は、自動車用のブレーキアシスト装置を目的とし、この装置は、倍力装置を含み、
−倍力装置が、プランジャピストンと、可動部と、プランジャピストンに対して可動部を所定の位置に固定する手段とを含み、
−倍力装置が、制御ロッドにより作動され、制御ロッドが、プランジャピストンに当接する第１の端部と、自動車の運転者により移動されるように構成されたブレーキペダルにより及ぼされる応力を受容する第２の端部とを含み、
−倍力装置が、プランジャピストンと可動部との間の接触スペースに挿入されるセンサと、プランジャピストンと可動部との間で圧縮されるスプリングとを含み、
−倍力装置が、運転モードに応じて接触スペース内でプランジャピストンを移動させる手段を含む装置において、
−スプリングが十分に高い剛性を有し、穏やかな運転モードの場合よりも反応型の運転モードの場合の方が著しく高い踏力に対してのみ、制動を開始するようにされていることを特徴とする。
【００１０】
本発明は、また、以下の特徴の任意の１つを含んでいる。
−反応型のブレーキモードから穏やかなブレーキモードに移行するにしたがって、少なくとも５０％の著しい差がプラスされる。
−圧縮スプリングは、電気モータのロータをなすナットの回転運動をねじの並進運動に変換するねじナット機構により予備圧縮応力を付与されており、ねじが可動部を移動させ、スプリングが、プランジャピストンと可動部との接近を妨げる。
−スプリングの長手方向の一端に配置された応力センサを含む。
−制動開始は、より少ない踏力で行われるが、しかし、反応型のモードよりも穏やかなモードの方が強い増幅を伴って行われる。
−スプリングの剛性が３０Ｎ／ｍｍ以上であり、または１１〜２２Ｎ／ｍｍである。
−運転モードに応じた接触スペース内のセンサの移動手段が、スプリングの予備圧縮応力を変化させる手段と、制御ユニットとを含み、この制御ユニットが、データメモリを介した運転モードの選択に応じてスプリングに付与すべき予備圧縮応力を決定するプログラムを実行可能なマイクロプロセッサを備えている。
−可動部に対するプランジャピストンの移動を検知する手段を含んでいる。
−センサがフローティング式である。
−制御ユニットが、ブレーキペダルの平衡位置または解放位置への可動部の戻りを遅延させるプログラムを含んでいる。
【００１１】
本発明は、また、ブレーキペダルにより作動されるマスタシリンダと、マスタシリンダと制御ロッドとの間に配置されるブレーキアシスト電動倍力装置と、この倍力装置の制御ユニットと、マスタシリンダに油圧式に接続されるブレーキとを含み、上記特徴の任意の１つによるアシスト装置を含んでいることを特徴とする自動車を目的とする。
本発明は、添付図面に関して以下の説明を読めば、いっそう明らかになるであろう。これらは、少しも限定的ではなく例としてのみ本発明を示している。
【図面の簡単な説明】
【００１２】
【図１ａ】本発明による装置を示す概略図である。
【図１ｂ】本発明による可動部の細部を示す図である。
【図２】図２ａ（Ｆｉｇ２ａ）及び図２ｂ（Ｆｉｇ２ｂ）は、本発明による装置を備えた車両の運転者の運転モードに応じて、可動部に対するプランジャピストンの位置を示す概略図であり、図２ｃ（Ｆｉｇ２ｃ）は、入力で本発明による装置の制御ロッドに付与される応力に応じて、マスタシリンダの出力における圧力をグラフで示す図である。
【図３】図３ａ（Ｆｉｇ３ａ）及び図３ｂ（Ｆｉｇ３ｂ）は、本発明による装置を備えた車両の運転者の運転モードに応じて、可動部に対するプランジャピストンの位置を示す概略図であり、図３ｃ（Ｆｉｇ３ｃ）は、入力で本発明による装置の制御ロッドに付与される応力に応じて、マスタシリンダの出力における圧力をグラフで示す図である。
【図４】図４ａ（Ｆｉｇ４ａ）及び図４ｂ（Ｆｉｇ４ｂ）は、本発明による装置を備えた車両の運転者の運転モードに応じて、可動部に対するプランジャピストンの位置を示す概略図であり、図４ｃ（Ｆｉｇ４ｃ）は、入力で本発明による装置の制御ロッドに付与される応力に応じて、マスタシリンダの出力における圧力をグラフで示す図である。
【発明を実施するための形態】
【００１３】
各図において、同じ部材には、同じ参照符号を付している。
【００１４】
図１は、本発明によるブレーキアシスト電動倍力装置を示しており、電気モータのステータ３とロータ４とを形成する本体２を内部に含んでいる。倍力装置の本体２は、自動車の乗員室のエンジン区画からの分離カバープレート５に固定されている。
【００１５】
ロータ４は、ねじナット機構のナットを形成するように構成され、軸線Ｘを中心として回転する。ロータ４は、コイル６を含んでおり、ロータは、その回転時に環状リング７からなるねじを並進駆動することができる。
【００１６】
倍力装置１は、また、リング７の内部に結合して取り付けられた、軸線Ｘを有する可動部８を含んでいる。可動部８は、リング７に近い第１の端部９と、このリング７から遠い第２の端部１０とを含んでいる。可動部８には長手方向の通路１１が貫通し、この通路内でプランジャピストン１２が摺動する。
【００１７】
プランジャピストン１２は、第１の後方端部１３で制御ロッド１５の第１の前方端部１４を収容し、第２の前方端部１６によってセンサ１８の第１の後方端部１７と接触することができる。センサ１８は、第２の前方端部１９によって、リアクションディスク２１の第１の面２０と接することができる。リアクションディスク２１は、エラストマー等の弾性変形可能かつ圧縮不能な材料から構成される。
【００１８】
制御ロッド１５は、ブレーキペダル（図示せず）に接続される長手方向の第２の後方端部２２を含む。本発明によるブレーキアシスト装置を備えた自動車の運転者は、このブレーキペダルを移動させることができる。
【００１９】
リアクションディスク２１は、面２０の周辺部によって可動部８に当接するように、可動部８の前面２４に設けられたハウジング２３内に配置される。リアクションディスク２１の第２の面２５は、プッシュロッド２７の第１の後方端部２６に当接する。プッシュロッド２７は、倍力装置１の応力を伝達するように構成されており、この応力は、運転者がブレーキペダルに付与する応力の増加関数、たとえばアフィン増加関数である。プッシュロッド２７から送られる応力は、第２の前方端部３０によりマスタシリンダ２９のピストン２８に伝達される。
【００２０】
倍力装置１の休止位置で、センサ１８とリアクションディスク２１の面２０の中央部分との間に軸方向の隙間が設けられている。この隙間は、倍力装置１の圧力の急上昇の高さを決定することができる。さらに、こうした急上昇については、電動倍力装置の制御プログラムによって修正可能である。
【００２１】
本発明において、休止位置とは、倍力装置１の非作動位置を意味し、すなわち、運転者がブレーキペダルを付勢していない状態を意味する。
【００２２】
倍力装置１は、また、弾性手段３１を含んでおり、本発明の好適な実施例では、この弾性手段が、円筒形のリターンスプリングである。リターンスプリング３１は、可動部８とプランジャピストン１２との間で予備圧縮応力を付与されている。予備圧縮応力という用語は、プランジャピストン１２および可動部８によってスプリング３１に付与される最初の緊張力に相当する。このようにして、スプリング３１は、可動部８にプランジャピストン１２が接近しないようにしている。
【００２３】
図１ｂは、本発明による可動部８の細部を示す図である。この図は、可動部８が、軸線Ｘに対して同心の２個の円筒部３２、３３から形成されていることを示しており、いわば外側にある第１の円筒部３２が、可動部８の本体を形成している。円筒部３２は、プランジャピストン１２を全体として通過させるのに十分な内径を有している。いわば内側にある第２の円筒部３３は、プランジャピストン１２のヘッド３４を通過可能にするのに十分な内径を有している。本発明において、プランジャピストン１２のヘッド３４とは、可動部８のシリンダ３３に挿入可能なプランジャピストン１２の部分を意味する。可動部８の内側の円筒部３３と外側の円筒部３２は、２個の円筒部３２、３３に同心の円形リング３５を介して、互いに結合されている。円筒部３２、３３の間に画定されるスペースが、スプリング３１を収容するためのハウジングを形成する。円筒部３３は、その内面に円形リング３６を含んでいる。円形リング３６は、センサ１８の末端部３７を通過させることが可能な中央穴を含む。センサ１８は、リアクションディスク２１と、センサ１８の行程終了ストッパを形成するリング３６との間で移動する。
【００２４】
本発明では、可動部８とプランジャピストン１２との移動を検知する手段３８が設けられている。こうした検知により、制御ユニット４０を介して電気モータ３の作動を制御し、プランジャピストン１２に対して可動部８を移動させることができる。
【００２５】
倍力装置１は、さらに、スプリング３１の長手方向の一端に配置された応力センサ３９を含む。応力センサ３９は、可動部８に対してスプリング３１により付与される応力の値を、たとえば休止位置で検知することができる。応力センサ３９により取り出された応力値は、制御ユニット４０に伝達されて基準値Ｖｒｅｆの役割を果たす。
【００２６】
本発明では、ねじナット機構のねじのピッチを可逆式にすることができる。換言すれば、ねじのピッチによって、マスタシリンダ２９に含まれる圧力と、倍力装置のリターンスプリング（図示せず）との作用だけで、ねじを休止位置に戻すことができる。したがって、リング７と可動部８をマスタシリンダ２９に向かって移動させる回転方向とは反対の回転方向にロータ４を回転させる必要はない。そのため、電気モータ３を作動させなくても可動部８を休止位置に戻すことができる。
【００２７】
本発明において、可動部８とリング７とからなる機構は、電気モータ３または制御ユニット４０の故障時に、ねじナット機構の部品の１つにより形成される障害物に遭遇することなくマスタシリンダ２９に伝達される制動力を運転者が及ぼすことができるように形成される。
【００２８】
制御ユニット４０は、通信バス４４を介してマイクロプロセッサ４３に接続されるプログラムメモリ４１とデータメモリ４２とを含んでいる。制御ユニット４０は、別の通信バス４５を介して倍力装置の各部材に接続される。２個の通信バスは、入力／出力インターフェース４６を介して相互接続されている。１つの実施形態では、車両は、反応型の運転モードＭＲまたは穏やかな運転モードＭＣに運転者の運転モードを選択可能にする外部セレクタ４７を備えている。別の実施形態では、制御ユニット自体が、以前に行われた制動のタイプおよび／または同様の制動のタイプの予め決められた期間にわたる車両の速度に応じて、車両の運転モードを決定する。制御ユニット４０により実施される作動は、マイクロプロセッサ４３により命令される。マイクロプロセッサは、プログラムメモリ４１に記録された命令コードに対する応答として、本発明による倍力装置１の各部材に対する命令を発生する。部材とは、電気モータ３と、倍力装置１に接続されるセンサ３８、３９からなる機構であると理解されたい。
【００２９】
次に、車両の運転者がブレーキペダルを付勢する場合の、本発明による倍力装置１の動作について説明する。
【００３０】
第１の段階では、運転者が車両のブレーキペダルに付勢することを望む。運転者は、まずペダルに応力をかけ始め、この応力が、制御ロッド１５によりプランジャピストン１２に、次いでセンサ１８に伝えられる。この第１の段階の間、マスタシリンダ２９には、いかなる圧力も生じない。
【００３１】
第２の段階では、制御ロッド１５の応力がスプリング３１の負荷と等しくなり、その場合、ストロークセンサは、基準値Ｖｒｅｆに対する制御ロッド１５とプッシュロッドとの相対位置の変化を検知する。相対位置の変化に関する情報は、制御ユニット４０に伝達される。そこで、制御ユニット４０は、命令を出して電気モータ３を制御し、ねじナット機構を介して可動部８を移動させ、それによって、可動部８とプランジャピストン１２とが、それらの互いの休止位置、いわば平衡位置に配置されるようにする。この第２の段階は、センサ１８がリアクションディスク２１と接すると終了する。
【００３２】
第３の段階では、リアクションディスクに接するセンサ１８のスラストによって、ブレーキペダルに付与される入力時の応力に比例する圧力を倍力装置１の出力で得る。
【００３３】
第４の段階では、リング７が、ロータ４に対して軸方向の最大位置に到達する。このような場合、可動部８は、もはや前進することができず、運転者により制御ロッド１５に供給される追加応力だけをマスタシリンダ２９に伝達することができる。
【００３４】
第５の最終段階では、運転者がブレーキペダルを一部または全部解放する。この場合、制御ロッド１５は、後方に向かってその休止位置に押し戻される。スプリング３１は、その休止位置に対してゆるめられる。ストロークセンサ３９は、基準値Ｖｒｅｆに対するプッシュロッドおよび制御ロッドの相対的な位置変化を検知する。制御ユニット４０は、この相対位置の値を分析し、この値が基準値Ｖｒｅｆ未満であると判断して、状況が休止位置または制動減少位置における倍力装置１の戻り段階に関与すると結論し、可動部８を後退させて、プランジャピストン１２に対して可動部が平衡位置に戻れるようにすることができる。ねじのピッチが可逆式であるので、マスタシリンダおよびリターンスプリングにおける圧力は、リング７と可動部８とをそれらの後方休止位置に戻すのに十分である。その場合、電気モータ３は、可動部の後退を妨げるトルクを及ぼして、制動力を保持する。
【００３５】
制御ユニット４０は、運転者の運転モードの選択に応じて圧力急上昇値のダイナミック調整４８を実施可能である。実際、車両の速度または運転者によりなされる事前選択に応じて、制御ユニット４０は、予め決められた期間について、運転者の運転モードを決定する（４９）。運転者が、穏やかなタイプすなわちコンフォートタイプの運転モードを有する場合（図２ａ）、制御ユニット４０は、可動部８がマスタシリンダ２９に向かって移動する方向にロータ４の回転を制御する命令を出す。運転者が、反応型すなわちスポーツタイプの運転モードを有する場合（図２ｂ）、制御ユニット４０は、可動部８が制御ロッド１５に向かって移動する方向にロータ４の回転を制御する命令を出す。リアクションディスク２１とセンサ１８との間またはセンサ１８とプランジャピストン１２との間に存在する軸方向の残留隙間は、可動部８とプランジャピストン１２との移動の検知手段３８により取り出された値に応じて、制御ユニット４０により調節される。図２ｃは、車両の運転者の運転モード（反応型または穏やかな運転モード）に応じた圧力の急上昇値Ｖｓａｕｔのダイナミック調整プログラム４８をグラフで示す図である。このグラフは、運転者により制御ロッド１５に及ぼされる応力の関数としてマスタシリンダ２９の出力における圧力を示している。このグラフでは、制御ユニット４０が、プランジャピストン１２に対する可動部の位置制御、したがってセンサ１８の位置制御を実施し、運転モードに応じて、センサ１８とリアクションディスク２１との間に存在する軸方向の残留隙間の値を決定することが分かる。軸方向の残留隙間の値を調節することによって、運転者の運転モードに応じて圧力の急上昇Ｖｓａｕｔｒ、Ｖｓａｕｔｃの高さをダイナミック調整することができる。そのため、ブレーキペダルに付与される応力が同じである場合、曲線４８ａの穏やかなタイプの運転モードの運転者がマスタシリンダ２９の出力で有する圧力急上昇値Ｖｓａｕｔｃは、曲線４８ｂの反応型タイプの運転モードの運転者のための圧力急上昇値Ｖｓａｕｔｒよりも高い。
【００３６】
制御ユニット４０は、また、車両の運転モードに応じた踏力値のダイナミック調整を実施可能である。換言すれば、予め決められた期間にわたる車両の速度または事前の選択に応じて、制御ユニット４０は、マスタシリンダ２９の出力で圧力の開始を得るためにブレーキペダルに付与すべき入力時の応力を修正する（５０）。そのため、本発明は、運転者によるブレーキペダルの付勢が開始されるとすぐに、可動部に対するプランジャピストンのストローク差を修正して、スプリング３１の予備圧縮応力を調節することを推奨するものである。
【００３７】
従来技術では、使用されるリターンスプリング３１の剛性が非常に小さかった。その剛性は、約３Ｎ／ｍｍであった。従来技術では、調整の問題によって可動部に対するセンサのストロークが変化した場合、ジャンプイン段階の間は、応力変化を小さくしなければならなかった。
【００３８】
本発明は、従来技術でもともと使用されていたスプリング３１の代わりに、十分に高い剛性を有するスプリング３１を使用し、穏やかな運転モードの場合よりも反応型の運転モードの場合の方が著しく高い踏力に対してのみ、制動を開始するようにすることからなる。スプリングの剛性は、反応型の制動モード（図３ｂ）から穏やかな制動モード（図３ａ）に移行するのに応じて、少なくとも５０％の著しい差が追加されるようなものとされる。本発明によるスプリング３１により、制動開始は、より少ない踏力で行われるが、しかし、反応型のモードよりも穏やかなモードの方が強い増幅を伴って行われる。本発明では、スプリング３１の剛性が、有利には、３０Ｎ／ｍｍ以上である。
【００３９】
この点に関して、本発明は、リアクションディスク２１とプランジャピストン１２との間に形成される接触スペース内で、運転モードに応じてセンサ１８を移動させる手段を含む。これらの移動手段は、スプリング３１の予備圧縮応力を変える手段と、制御ユニット４０とを含む。制御ユニット４０は、データメモリ４２を介した運転モードの選択に応じてスプリングに付与すべき予備圧縮応力を決定するプログラムを実行する。図３ｃは、車両の運転モードに応じた踏力のダイナミック調整プログラム５０をグラフで示す図である。この調整は、運転モードに応じてスプリング３１に付与される予備圧縮応力を決定することによって得られる。
【００４０】
その結果、スプリングの剛性が高いので、リアクションディスクとセンサ部材との間の隙間が運転者の運転モードに応じて増加または減少すると、これは、踏力がそれに比例して著しく変化することを意味する。そのため、本発明によるスプリングによって、アシスト性を高めた期間、言い換えれば有効な制動段階が行われる期間を、ブレーキペダル位置の踏力と結合することが可能である。図３ａに関連する曲線５０ａは、ブレーキペダルに付与される応力が図３ｂに関連する曲線５０ｂの半分未満で踏力に達することを示している。
【００４１】
本発明は、また、高い剛性のスプリングを使用することにより、運転者によりブレーキペダルに付与される応力が周期的に変化する場合のヒステリシスサイクル（図４ｃ）を決定することができる。実際、スプリング３１の剛性は、より大きな応力変化を発生する。換言すれば、倍力装置１が、ブレーキアシスト段階にあって（図４ａ）、運転者がブレーキペダルを部分的に解放する場合（図４ｂ）、プランジャピストン１２に対して可動部８がその平衡位置に移動すると、制御ユニット４０が遅延を発生する。その場合、スプリング３１は、その剛性のためにわずかにゆるんで、入力で付与される応力を減少し、それによってヒステリシスサイクルを形成する。このようにして、本発明は、ジャンプイン段階の間、ブレーキペダルでよりよいフィーリングを得られるようにしている。
【図１ａ】
2013545672.tif 000003
【図１ｂ】
2013545672.tif 000004
【図２】
2013545672.tif 000005
【図３】
2013545672.tif 000006
【図４】
2013545672.tif 000007
【国際調査報告】
2013545672.tif 000008
2013545672.tif 000009
2013545672.tif 000010
2013545672.tif 000011